(57)【要約】【課題】遊技球が当接部に当たった際の打音を低減するとともに、当接部の保護に貢献することのできる遊技機を提供する。【解決手段】パチンコ機１０においては、遊技領域が形成された遊技盤が本体枠に搭載されている。遊技領域には入賞口、入賞装置等の各種遊技機器が設けられている。遊技者により遊技球発射ハンドル４１が操作されると遊技球が遊技領域に向けて発射される。遊技領域に到達した遊技球は、入賞口や入賞装置やアウト口等を介して遊技盤の後方に案内され、自重によって下方へ落下する。本体枠の背面側には遊技盤を背面側から覆う裏パック機構が装着されている。裏パック機構は、遊技盤の背面側を落下する遊技球を受け止める球受け部と球受け部を補強する裏パック補強部材とを有している。落下した遊技球は裏パック機構の球受け部に当たる。【選択図】      図１
2015051316.tif 000002
【特許請求の範囲】
【請求項１】
遊技機前方から視認可能な位置に設けられている遊技盤と、
前記遊技盤の前面に設けられ、遊技球が流れ落ちる遊技領域と、
前記遊技盤に形成され、前記遊技領域を流れ落ちる前記遊技球を前記遊技盤の背面側に案内する開口部と、
前記遊技盤を支持する支持枠と、
前記遊技盤の背面側に設けられている背面カバーと、
前記開口部よりも下方に設けられ、遊技機背面側へ案内された前記遊技球が落下した際に当たる当接部と、
前記当接部から所定間隔をおいて下方へ離間した位置に設けられ、前記当接部が所定量以上に変位した場合に当該当接部に当接してその当接部の変位を制限する制限部と
を備えていることを特徴とする遊技機。
【発明の詳細な説明】
【技術分野】
【０００１】
本発明は、遊技機に関するものである。
【背景技術】
【０００２】
遊技機の一種であるパチンコ機には、遊技領域が形成された遊技盤を枠体に搭載してなる遊技機本体と、遊技機本体の前面側に取り付けられた前扉枠とが備えられている。遊技領域には入賞口、入賞装置等の各種遊技機器が設けられている。遊技者により遊技球発射ハンドルが操作されると遊技球が遊技領域に向けて発射され、発射された遊技球が入賞口や入賞装置などに入賞すると、それに伴い所定個数の遊技球が払い出される。
【０００３】
遊技領域に到達した遊技球は、入賞口や入賞装置やアウト口等を介して遊技盤の後方に案内され、自重によって下方へ落下する。このように遊技球を自重により落下させることで遊技機の下部に集約し、遊技機本体の背面側に設けられた導出通路等を介して島設備へと返却が行われる。
【０００４】
遊技球が落下の勢いを維持したまま導出通路へ到達した場合、導出通路内での遊技球の流れが乱れ、遊技球の移動(排出)が阻害される可能性がある。このような不都合に対処すべく、遊技球が直接導出通路に入らないようにそれら遊技球を一旦受け止める当接部を有するパチンコ機が提案されている。落下してくる遊技球を当接部によって受け止めることで遊技球の落下の勢いを減じ、減勢された遊技球が導出通路内に導かれる。これにより、導出通路内における遊技球の流れの安定化が図られている（例えば、特許文献１参照）。
【先行技術文献】
【特許文献】
【０００５】
【特許文献１】特開２００４−２７５６０８号公報
【発明の概要】
【発明が解決しようとする課題】
【０００６】
当接部においては、遊技球が衝突することで発生する不快な打音を低減するために金属ではなく合成樹脂等が用いられることが多い。しかしながら、合成樹脂材料を用いて当接部を形成した場合、遊技球が繰り返し当たることで、割れが発生したり、欠けてしまったりすることが懸念される。結果として、割れた部分に遊技球が引っかかったり、欠けた部分から遊技球がこぼれ落ちたりすることで、遊技球の排出が円滑に行われない可能性がある。
【０００７】
本発明は、上記事情に鑑みてなされたものであり、遊技球が当接部に当たった際の打音を低減するとともに、当接部の保護に貢献することのできる遊技機を提供することを目的とするものである。
【課題を解決するための手段】
【０００８】
本発明は、
遊技機前方から視認可能な位置に設けられている遊技盤と、
前記遊技盤の前面に設けられ、遊技球が流れ落ちる遊技領域と、
前記遊技盤に形成され、前記遊技領域を流れ落ちる前記遊技球を前記遊技盤の背面側に案内する開口部と、
前記遊技盤を支持する支持枠と、
前記遊技盤の背面側に設けられている背面カバーと、
前記開口部よりも下方に設けられ、遊技機背面側へ案内された前記遊技球が落下した際に当たる当接部と、
前記当接部から所定間隔をおいて下方へ離間した位置に設けられ、前記当接部が所定量以上に変位した場合に当該当接部に当接してその当接部の変位を制限する制限部と
を備えていることを特徴とする。
【発明の効果】
【０００９】
本発明によれば、遊技球が当接部に当たった際の打音を低減するとともに、当接部の保護に貢献することのできる遊技機を提供することが可能となる。
【図面の簡単な説明】
【００１０】
【図１】一実施の形態におけるパチンコ機を示す正面図である。
【図２】パチンコ機の主要な構成を展開して示す斜視図である。
【図３】パチンコ機の主要な構成を展開して示す斜視図である。
【図４】パチンコ機の構成を示す背面図である。
【図５】前扉枠の構成を示す背面図である。
【図６】本体枠の構成を示す正面図である。
【図７】遊技盤の構成を示す正面図である。
【図８】本体枠の構成を示す背面図である。
【図９】遊技盤の背面構成を示す斜視図である。
【図１０】遊技盤から主制御装置ユニットを取り外した状態を示す背面図である。
【図１１】主制御装置ユニットの構成を示す斜視図である。
【図１２】裏パック機構の構成を示す正面図である。
【図１３】裏パック機構の分解斜視図である。
【図１４】図４のＡ−Ａ線部分端面図である。
【図１５】パチンコ機の電気的構成を示すブロック図である。
【図１６】当接部及び制限部の変形例をしめす模式図である。
【発明を実施するための形態】
【００１１】
はじめに、本実施の形態から抽出され得る発明を、必要に応じて効果等を示しつつ説明する。
【００１２】
手段１．遊技機前方から視認可能な位置に設けられている遊技盤（遊技盤８１）と、
前記遊技盤の前面に設けられ、遊技球（例えば遊技球Ｂ）が流れ落ちる遊技領域と、
前記遊技盤に形成され、前記遊技領域を流れ落ちる前記遊技球を前記遊技盤の背面側に案内する開口部（一般入賞口８２やアウト口８７等）と、
前記遊技盤を支持する支持枠（本体枠１３）と、
前記遊技盤の背面側に設けられている背面カバー（裏パック機構１５）と、
前記開口部よりも下方に設けられ、遊技機背面側へ案内された前記遊技球が落下した際に当たる当接部（球受け部２７０）と、
前記当接部から所定間隔をおいて下方へ離間した位置に設けられ、前記当接部が所定量以上に変位した場合に当該当接部に当接してその当接部の変位を制限する制限部（裏パック補強部材２６１）と
を備えていることを特徴とする遊技機。
【００１３】
手段１の遊技機では、遊技盤の遊技領域を流れ落ちた遊技球は、開口部を介して遊技盤の背面側に案内される。その後、遊技球は当接部に当たり、当接部は下方（すなわち制限部との間隔を縮める方向）に変位する。かかる場合、遊技球との接触によって当接部が変位することで、遊技球が当接部に当たった際に生じる打音を低減できる。遊技球の打音の低減を図ることで、スピーカからの音楽に打音が紛れる等して遊技者に不快感を与え、遊技興趣の低下を招くことを抑制することができる。また、上述の如く当接部自身が変位することで、遊技球が当たった際に生じる衝撃を低減することも可能である。これにより、当接部に生じる負荷を抑え、当接部の保護を図ることができる。
【００１４】
当接部から所定間隔をおいた位置には制限部が設けられている。当接部の変位が所定量に到達した際には、当接部が制限部に当たる。当接部と制限部との両者が当たった状態においては、制限部によって当接部の更なる下方への変位が制限される。すなわち、当接部の変位が完全に抑えられた状態となるか、又は当接部の負荷に対する変位量が制限部に当たる前に比べて小さくなる。
【００１５】
当接部に生じる下方への負荷が比較的小さい状態においては、当接部の変位によって積極的に音の低減を図ることができる。一方、当接部に生じる下方への負荷が比較的大きい状態においては、当接部が制限部に当たり、その変位が制限される。このため、当接部の過度の変位を抑えることができ、当接部の保護を図ることが可能である。例えば、当接部自身が弾性変形（変位）することによって、遊技球が当たった際の打音の低減を行う場合、塑性変形領域まで変形するといった不都合を抑制することができる。なお、制限部によって当接部の負荷に対する変位量を低減する構成とした場合、すなわち制限部に当たった際の当接部の変位を許容した場合、当接部の過度の変位を抑えつつ当接部と制限部とが接触した際の衝撃の低減に貢献することができる。故に、当接部の保護を一層好適なものとすることができる。
【００１６】
通常、遊技盤の背面側には、開口部を通過して遊技盤の背面側に案内された遊技球を当接部に誘導する誘導通路（例えば回収通路１５１）が設けられることが多い。この誘導通路を介して遊技球が落下することで、遊技球の収集がなされたり、遊技球の落下速度の低減がなされたりする。特に、誘導通路を蛇行させることで、誘導通路を通過する間に遊技球が加速することを抑制したりしている。本手段においては、上述の如く当接部の変位を制限部によって制限できるため、対応可能な負荷の上限を上げることが可能である。仮に、当接部よりも遠く離れた位置（例えば遊技盤の上部等）から落下した遊技球が当たったり、複数の遊技球が当接部に対して同時に当たったりしても、当接部は制限部によって下方から支えられ、過度の変形が抑えられる。故に、局所的に負荷が増大した場合であっても、当接部の塑性変形を回避し、欠け等の不都合が発生することを抑制可能である。
【００１７】
また、当接部に生じる負荷に応じて段階的な対応が可能であるため、当接部及び制限部によって許容可能な負荷の範囲を広げることが可能である。より具体的には、遊技球からの負荷が小さい場合には積極的に打音の低下を図り、遊技球からの負荷が大きい場合には当接部の保護を好適に行うことができる。このため、誘導通路によって遊技球の加速を抑えたり、開口部の配置位置の制約を厳しくしたり（遊技盤の下部周辺に限定したり）しなくてもよい。故に、遊技盤背面側の誘導通路の簡素化に貢献したり、開口部の配置自由度の向上に貢献したりすることができる。
【００１８】
手段２．前記当接部が撓み変形可能な弾性体で構成されていることを特徴とする手段１に記載の遊技機。
【００１９】
手段２によれば、遊技球が当接部に当たることで、当接部自身が撓み変形（変位）する。このように当接部自身が変形する構成とすることで、当接部の変位を実現するための構成を簡略化することが可能である。
【００２０】
仮に当接部自身の移動によって変位する構成とした場合、遊技球の打音を低減することができる反面、当接部の移動に起因する作動音（例えば摺動音等）が発生する可能性がある。すなわち、遊技球の打音を低減できたとしても、当接部の作動音が発生し、その作動音によって遊技者に不快感を与えてしまうことが考えられる。本手段においては、当接部は撓み変形によって変位するため、当接部自身を固定することが可能である。このため、当接部の移動に伴う作動音の発生を回避することができる。故に、他の異音等の発生を回避しつつ、遊技球の打音低下に貢献することができる。
【００２１】
手段３．前記当接部の下方への変位に伴って弾性変形する弾性部材を備えていることを特徴とする手段１に記載の遊技機。
【００２２】
手段３によれば、変位に伴って弾性部材が変形する。当接部の変位（移動）に伴って当接部自身に局所的な負荷が生じることを抑制可能であるため、当接部の塑性変形（割れや欠け等）を好適に回避できる。例えば、「弾性部材」をゴムやバネ等で構成するとよい。
【００２３】
手段４．前記開口部が前記遊技盤の幅方向に複数形成されているとともに、前記当接部が前記遊技盤の幅方向に延びる長尺状に形成され、前記開口部から落下する前記遊技球が前記当接部の異なる部位に当たる構成とされていることを特徴とする手段１乃至手段３のいずれか１つの手段に記載の遊技機。
【００２４】
手段４によれば、遊技球が遊技盤の幅方向において異なる複数の位置で落下する。当接部を遊技盤の幅方向に延びる長尺状に形成したことで、落下する遊技球を幅方向で異なる位置にてそれぞれ受けることができる。このため、それら遊技球が１箇所に集中して当たることで当接部に生じる負荷が局所的に大きくなることを抑えることができる。これにより、当接部に疲労破壊等が生じる可能性を低減できる。
【００２５】
なお、当接部に遊技球の集約機能を付与し、分散した状態で当接部に到達した遊技球を集めることも可能である。かかる場合、遊技盤背面側に遊技球を集約するための構成を設定する必要が必ずしも無く、遊技球集約のための構成の簡略化に貢献することができる。
【００２６】
手段５．前記支持枠及び前記背面カバーのいずれかが、前記遊技球を排出する排出領域（排出通路２３１）を前記当接部の下側に備え、前記当接部における遊技球との接触面（接触面２７０ａ）が、前記排出領域に向かって傾斜していることを特徴とする手段１乃至手段４のいずれか１つの手段に記載の遊技機。
【００２７】
手段５によれば、接触面は排出領域に向かって傾斜しているため、遊技球を接触面に沿って排出領域に流れる。これにより、遊技球が接触面上で滞留することを抑制できるとともに、遊技球の排出領域への誘導が可能となる。故に、遊技球の排出を一層円滑なものとすることができる。なお、傾斜面は平面であってもよいし、曲面であってもよい。
【００２８】
手段６．前記当接部が左右に延びる板状をなすとともに、その前側端部が自由端とされ、後側の端部が固定端とされていることを特徴とする手段２に記載の遊技機。
【００２９】
手段６によれば、当接部における遊技盤に近い側の端部を自由端とし、遊技盤から遠い側の端部を固定端とした。当接部は、固定端側を基端として、自由端側が撓む構成となっている。これにより、当接部が撓んだ際の変位量を確保しやすくすることができる。
【００３０】
仮に遊技盤側の端部が固定端である場合、遊技球が遊技盤に沿って落下しすることで固定端側に当たりやすいと考えられる。遊技球が固定端に近い位置であたると、当接部の変位が生じにくいと考えられる。しかしながら、本手段に示すように、遊技盤側を自由端とすることで、遊技球が自由端に近い位置で当たる構成とすることができる。これにより、当接部の変位を好適に実現することができる。
【００３１】
手段７．前記当接部において前記制限部に対向し平面状をなす第１対向面と前記制限部において前記当接部に対向し平面状をなす第２対向面との隙間寸法が、遊技機後方から遊技機前方に向けて徐々に大きくなっていることを特徴とする手段６に記載の遊技機。
【００３２】
当接部が自由端と固定端とを有する構成においては、当接部の変形が固定端側を基端として発生しやすい。このため、当接部が変位した際には、当接部の端部が制限部に対して極所当たりしやすいと考えられる。
【００３３】
本手段によれば、当接部が制限部に当たった際に、第１対向面及び第２対向面の両者が極所当たりしにくくすることができる。これにより、両者間に生じる衝撃を分散することができ、当接部および制限部の局所に負荷が集中するといった不都合を抑制することが可能である。故に、両者の保護を図ることができる。
【００３４】
例えば、当接部が制限部に当接する程度に変位した状態で、両対向面が平行になる構成とすればよい。これにより、両者の接触範囲を大きくすることができる。
【００３５】
手段８．前記制限部が、左右に延びる長尺状をなし、前記支持枠及び前記背面カバーのいずれかに取り付けられている補強部材であることを特徴とする手段１乃至手段７のいずれか１つの手段に記載の遊技機。
【００３６】
手段８に示すように、制限部（補強部材）が左右に延びる長尺状をなしており、支持枠又は背面カバーに取り付けられている。このため、支持枠又は背面カバーのうち制限部が取り付けられたものの剛性（例えば左右方向のねじれ剛性）を向上することができる。
【００３７】
近年では装飾性の向上や遊技内容の多様化に伴って遊技盤が拡大される傾向にあり、遊技盤の拡大に対応して支持枠に形成される開口も拡張されている。このような開口の拡大に起因して、支持枠の肉部が減少し、支持枠の剛性が低下しがちとなっている。支持枠に補強部材等を追加することで剛性の担保が図られたりしている。一方、上述の如く、当接部に加えて制限部を追加すれば、遊技球の打音低減を実現できる反面構成の複雑化や部品点数の増加を招く恐れがある。かかる場合、本手段に示すように制限部を支持枠の補強部材として利用するとよい。すなわち、制限部に、当接部の変位を制限する制限機能に加えて支持枠又は背面カバーの補強部材としての機能を付与するとよい。これにより、構成の簡略化を図りつつ（部品点数の増加を抑えつつ）、支持枠の補強及び打音の低減を実現することができる。
【００３８】
手段９．前記制限部が、前記支持枠と前記遊技盤との境界部位の後方に配置されていることを特徴とする手段８に記載の遊技機。
【００３９】
遊技盤及び支持枠の後方において遊技球の排出が行われる。遊技盤と支持枠との境界部位に貫通孔を設けたり、境界部位を広げたりすることで、排出される遊技球（以下アウト球ともいう）を再取得するといった不正行為が行われる可能性がある。このように、アウト球を再取得がなされた場合、投資を行うことなく遊技を継続して行う不正遊技が可能となる。本手段に示すように、支持枠と遊技盤との境界部位の後方に制限部（補強部材）を配置することで、遮蔽部材等の構成部品を追加することなくアウト球（すなわち遊技球の排出径路）へのアクセスを妨げることができる。これにより、アウト球を使用する不正遊技を抑制することができる。
【００４０】
手段１０．前記制限部が、前記境界部位と対向する部分において遊技機前方に開口する溝（溝部２６５）を有することを特徴とする手段９に記載の遊技機。
【００４１】
手段１０によれば、支持枠と遊技盤との境界部位の後方に制限部（補強部材）の溝が配置されている。境界部位を介して挿入された不正具等は、溝に嵌まることでその移動が制限される。境界部位と対向する部分が平面状をなす場合、不正具をその平面に沿って移動させることで制限部を迂回されるといった不都合が生じ得る。本手段においては、制限部の周面に沿って不正具を移動させることが溝によって妨げられるため、制限部の迂回を困難なものとすることができる。これにより防犯性の向上を図ることができる。
【００４２】
例えば、制限部を前方に開放された略コ字状で形成するとよい。これにより、当接部との接触面を確保しつつ、制限部の剛性確保と不正対策効果の向上とに貢献することができる。
【００４３】
手段１１．前記当接部が合成樹脂製とされているとともに、前記制限部は前記当接部より高強度の金属製とされていることを特徴とする手段８乃至手段１０のいずれか１つの手段に記載の遊技機。
【００４４】
手段１１によれば、当接部を合成樹脂材料としたことで、遊技球の保護（傷つき等の防止）を図ることができる。かかる場合、当接部の強度不足が懸念される。制限部を当接部より高強度の金属製としたことで、当接部の強度不足を好適に補うことができる。また、遊技球が金属部材（制限部）に当たらないことで、遊技球と当接部とが当たった際の金属音の回避（耳障りな音の低減）を図ることができる。
【００４５】
特に手段９又は手段１０との組み合わせ（制限部を不正抑制手段として用いる構成）によれば、制限部を金属製とすることでドリル等の工具を用いて連通孔を形成するといった不正行為を好適に抑制できる。なお、制限部は支持枠及び遊技盤よりも硬質な金属製材料であることが望ましい。
【００４６】
手段１２．前記遊技盤が、前記支持枠に対して遊技機後方から着脱される構成とされているとともに、前記背面カバーが前記制限部を備える構成とされていることを特徴とする手段８乃至手段１１のいずれか１つの手段に記載の遊技機。
【００４７】
遊技盤を、支持枠に対して遊技機後方から着脱する構成とすることで、遊技機前方からの取り外しを規制できる。これにより、遊技盤の不正な取り外しといった不正行為を抑制することが可能である。しかしながら、かかる遊技機において遊技盤と支持枠との境界部位を後方から覆う遮蔽部材等を設定した場合、遊技盤をメンテナンス等で着脱する度に遮蔽部材の着脱又は移動を行う必要が生じると考えられる。すなわち、不正抑制を図ることができる反面、メンテナンス作業が煩雑化したり、遮蔽部材の取り付け作業が過誤により行われなかったりする等の不都合が生じ得る。特に遮蔽部材が装着されないまま背面カバーが取り付けられた場合、遮蔽部材の有無の確認がしにくくなり装着忘れの発見が遅れるといった不都合が懸念される。そこで、本手段においては、背面カバーに制限部（補強部材）を設けることで背面カバーの剛性向上を図りつつ、背面カバーの制限部に遮蔽手段としての機能を付与した。背面カバーが制限部を備えるため、遊技盤着脱の都度、制限部の取り外し及び取り付け作業を別途行う必要が無い。故に、遊技盤及び境界部位に対する不正を抑制しつつ、不正対策に起因する作業の煩雑化を回避することができる。
【００４８】
なお例えば、支持枠に、背面カバーを回動可能に軸支する支持具を設けることで、作業性の向上を図ることができる。かかる場合、背面カバーを閉止状態で保持する保持部を設けるとよい。
【００４９】
手段１３．前記背面カバーは前記支持枠に対し着脱自在に設けられ、前記当接部が前記背面カバーに設けられていることを特徴とする手段８乃至手段１２のいずれか１つの手段に記載の遊技機。
【００５０】
上述のごとく当接部は、遊技球が繰り返し当たることで変形や欠け等が発生する可能性がある。当接部のメンテナンスを行う際に、背面カバーを着脱することで当接部を取り外すことができれば、メンテナンス作業を所望とする場所で行うことが可能となり、作業効率の向上に貢献できる。
【００５１】
また通常、遊技機を構成する例えば主制御装置は遊技盤に装着され、前面枠等は枠体に対して装着されることが多い。背面カバーのみを交換することで、当接部の取替えが可能となるため、交換不要な部品等は極力そのまま使用することができリユース性の向上を図ることができる。
【００５２】
なお、「着脱自在」とは、専用工具等の工具を用いることなく背面カバーの取り付け及び取り外しができることを示す。
【００５３】
手段１４．前記背面カバーは、入賞判定や当たり抽選など遊技機の主要な制御を実施する主制御装置（主制御装置１６２）を遊技機後方より覆う第１カバー部材（裏パック２０１）と、前記当接部を有する第２カバー部材（制御装置集合ユニット２６０の取付台２４１）とを少なくとも備え、
それら第１カバー部材と第２カバー部材とが遊技機後方へ回動可能とされていることを特徴とする手段１３に記載の遊技機。
【００５４】
主制御装置は遊技機前面側から視認できないように、遊技機の背側に設けられることが多い。当接部のメンテナンス等を目的として背面カバーを取り外す（又は開放する）機会が増えることで、主制御装置が遊技者等の目に止まることとなり、主制御装置に対する不正が行なわれやすくなることが懸念される。本手段においては、当接部を有するカバー部材と、主制御装置を覆うカバー部材とを別体で設けた。これにより、当接部のメンテナンス等で第２カバー部材を取り外した（開放した）としても、第１カバー部材は主制御装置を覆ったままにできるため、外部への露出機会を減ずることができる。故に、当接部のメンテナンス等の作業に起因して主制御装置への不正の可能性が高まることを回避できる。例えば、両カバー部材が支持枠に軸支される構成とし、両者を独立して回動可能とすればよい。
【００５５】
手段１５．前記第１カバー部材を前側、前記第２カバー部材を後側としてそれら各カバー部材の少なくとも一部が前後に重なる構成とされていることを特徴とする手段１４に記載の遊技機。
【００５６】
手段１５によれば、第１カバー部材の少なくとも一部を第２カバー部材によって後方から覆う構成とした。このため、第１カバー部材を取り外す（開放する）ためには、先ず第２カバー部材を取り外す（開放する）必要がある。第１カバー部材の前側には主制御装置が備えられており、主制御装置へアクセスするためには両カバー部材を取り外す（開放する）必要がある。これにより主制御装置へのアクセスを困難なものとし、防犯性の向上を図ることができる。
【００５７】
なお、前記主制御装置からの指令に従い前記主要な制御以外の制御を実施する副制御装置（払出制御装置２４２や電源及び発射制御装置２４３等）を備える遊技機においては、これら副制御装置も第１カバー部材で覆うとよい。但し、副制御装置が電源スイッチ等を備える場合、第１カバー部材で覆うことで電源スイッチ等へのアクセスが困難になる可能性がある。かかる場合には、第２カバー部材に副制御装置を取り付けるとよい。これにより電源スイッチ等へのアクセスを容易なものとできる。
【００５８】
当接部の劣化具合等を確かめるためには目視での確認作業が必要となる。このように確認対象が増えることで、メンテナンス等の際の確認作業が煩雑になることが懸念される。また、副制御装置も主制御装置と同様に不正の対象となりやすいため、メンテナンス等の際の確認対象となることが多い。これら当接部及び副制御装置を１つのカバー部材にまとめて配置することで確認作業が必要な箇所を集約(限定)することができ、確認作業の簡略化を図ることができる。故に、遊技球の円滑な排出を行いつつ、メンテナンス時の確認作業の煩雑化抑制を実現することが可能となる。
【００５９】
手段１６．前記第１カバー部材に前記制限部が設けられ、
前記当接部の下側であって、前記第１カバー部材と前記第２カバー部材とが前記本体枠に閉止した状態で、前記制限部を収容する収容部（収容部２７１）が設けられていることを特徴とする手段１４又は手段１５に記載の遊技機。
【００６０】
手段１６によれば、当接部と制限部とがそれぞれ別のカバー部材に設けられている。複数のカバー部材によって背面カバーを構成した場合、それらカバー部材の剛性確保を個々に行う必要が生じる。当接部及び制限部をカバー部材の補強のためのリブやフランジ等として用いることで、それぞれが設けられたカバー部材の剛性向上に貢献することができ、補強構造の簡略化に貢献することができる。また、制限部が収容部に収容される（嵌まる）ことで、制限部を第１カバー部材の補強手段として利用することができるとともに、背面カバー全体の剛性向上にも貢献できる。これにより、個々のカバー部材の剛性向上を図りつつ、背面カバー全体としての剛性向上も達成することができる。故に、背面カバーの歪み等に起因して制限部の位置がばらつき、当接部と遊技球とが所望とする位置で当たらないといった不都合を抑制できる。故に、当接部の機能不全を回避し、遊技球の円滑な排出を担保することができる。
【００６１】
手段１７．前記第１カバー部材の開閉基端部と前記第２カバー部材の開閉基端部とが遊技機の左右両側のいずれか一側に配置されていることを特徴とする手段１６に記載の遊技機。
【００６２】
手段１７によれば、各カバー部材の回動方向を例えば左右方向とすることができるため、回動方向を上下方向とするよりも当接部を遊技機前後方向に長く設定しやすい。（開閉時に当接部と制限部とが干渉しにくいため、比較的前後幅を持たせやすい。）遊技球の接触部位を前後に大きく設定できるため、遊技球の落下位置のばらつきを許容しやすくすることができる。これにより、遊技球が当接部を介さずに（減勢されずに）排出領域に向かうといった不都合を抑制できる。
【００６３】
特に、手段６に示すように当接部の後端が固定端である場合には、固定端から遊技球の接触位置までの間隔を大きくとることが可能となるため、当接部を大きく撓ませやすくなる。これにより、遊技球の打音低減により一層貢献することができる。
【００６４】
以下に、以上の各手段を適用し得る遊技機の基本構成を示す。
【００６５】
弾球遊技機：遊技者が操作する操作手段（遊技球発射ハンドル４１）と、その操作手段の操作に基づいて遊技球を弾いて発射する球発射手段（遊技球発射機構１１０）と、その発射された遊技球を所定の遊技領域に導く誘導部（内，外レール部１０１，１０２）と、遊技領域内に配置された各遊技部品（一般入賞口８２等）とを備えた遊技機。
【００６６】
以下、遊技機の一種であるパチンコ遊技機（以下、「パチンコ機」という）の一実施の形態を、図面に基づいて詳細に説明する。図１はパチンコ機１０の正面図、図２及び図３はパチンコ機１０の主要な構成を展開して示す斜視図、図４はパチンコ機１０の背面図である。なお、図２では便宜上パチンコ機１０の遊技領域内の構成を省略している。
【００６７】
パチンコ機１０は、当該パチンコ機１０の外殻を形成する外枠１１と、この外枠１１に対して前方に回動可能に取り付けられた遊技機主部１２とを有する。外枠１１は木製の板材を四辺に連結し構成されるものであって矩形枠状をなしている。パチンコ機１０は、外枠１１を島設備に取り付け固定することにより、遊技ホールに設置される。
【００６８】
遊技機主部１２は、ベース体としての本体枠１３と、その本体枠１３の前方に配置される前扉枠１４と、本体枠１３の後方に配置される裏パック機構１５とを備えている。遊技機主部１２のうち本体枠１３が外枠１１に対して回動可能に支持されている。詳細には、正面視で左側を回動基端側とし右側を回動先端側として本体枠１３が前方へ回動可能とされている。
【００６９】
本体枠１３には、図２に示すように、前扉枠１４が回動可能に支持されており、正面視で左側を回動基端側とし右側を回動先端側として前方へ回動可能とされている。また、本体枠１３には、図３に示すように、裏パック機構１５が回動可能に支持されており、正面視で左側を回動基端側とし右側を回動先端側として後方へ回動可能とされている。
【００７０】
次に、前扉枠１４について説明する。なお、以下の説明では、図１〜図３を参照するとともに、前扉枠１４の背面の構成については図５を参照する。図５は、前扉枠１４の背面図である。
【００７１】
前扉枠１４は本体枠１３の前面側全体を覆うようにして設けられている。前扉枠１４には後述する遊技領域のほぼ全域を前方から視認することができるようにした窓部２１が形成されている。窓部２１は、略楕円形状をなし、透明性を有するガラス２２が嵌め込まれている。窓部２１の周囲には、各種ランプ等の発光手段が設けられている。例えば、窓部２１の周縁に沿ってＬＥＤ等の発光手段を内蔵した環状電飾部２３が設けられている。環状電飾部２３では、大当たり時や所定のリーチ時等における遊技状態の変化に応じて点灯や点滅が行われる。また、環状電飾部２３の中央であってパチンコ機１０の最上部には所定のエラー時に点灯するエラー表示ランプ部２４が設けられ、さらにその左右側方には賞球払出中に点灯する賞球ランプ部２５が設けられている。また、左右の賞球ランプ部２５に近接した位置には、遊技状態に応じた効果音などが出力されるスピーカ部２６が設けられている。
【００７２】
前扉枠１４における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている。上皿３３は、後述する払出装置より払い出された遊技球を一旦貯留し、一列に整列させながら後述する遊技球発射機構側へ導くための機能を有する。また、下皿３４は、上皿３３内にて余剰となった遊技球を貯留する機能を有する。
【００７３】
下側膨出部３２の右方には、手前側へ突出するようにして遊技球発射ハンドル４１が設けられている。遊技球発射ハンドル４１が操作されることにより、後述する遊技球発射機構から遊技球が発射される。
【００７４】
前扉枠１４の背面には、図２及び図５に示すように、通路形成ユニット５０が取り付けられている。通路形成ユニット５０は、合成樹脂により成形されており、上皿３３に通じる前扉側上皿通路５１と、下皿３４に通じる前扉側下皿通路５２とが形成されている。通路形成ユニット５０において、その上側隅部には後方に突出し上方に開放された受口部５３が形成されており、当該受口部５３を仕切壁５４によって左右に仕切ることで前扉側上皿通路５１と前扉側下皿通路５２の入口部分とが形成されている。前扉側上皿通路５１及び前扉側下皿通路５２は上流側が後述する遊技球分配部に通じており、前扉側上皿通路５１に入った遊技球は上皿３３に導かれ、前扉側下皿通路５２に入った遊技球は下皿３４に導かれる。
【００７５】
前扉枠１４の背面における回動基端側（図５の右側）には、その上端部及び下端部に突起軸６１，６２が設けられている。これら突起軸６１，６２は本体枠１３に対する組付機構を構成する。また、前扉枠１４の背面における回動先端側（図５の左側）には、図２に示すように、後方に延びる鉤金具６３が上下方向に複数並設されている。これら鉤金具６３は本体枠１３に対する施錠機構を構成する。
【００７６】
次に、本体枠１３について詳細に説明する。図６は本体枠１３の正面図である。
【００７７】
本体枠１３は、外形が外枠１１とほぼ同一形状をなす樹脂ベース７１を主体に構成されている。樹脂ベース７１の前面における回動基端側（図６の左側）には、その上端部及び下端部に支持金具７２，７３が取り付けられている。図示は省略するが、支持金具７２，７３には軸孔が形成されており、それら軸孔に前扉枠１４の突起軸６１，６２が挿入されることにより、本体枠１３に対して前扉枠１４が回動可能に支持されている。
【００７８】
樹脂ベース７１の前面における回動先端側（図６の右側）には、前扉枠１４の背面に設けられた鉤金具６３を挿入するための挿入孔７４がそれぞれ設けられている。本パチンコ機１０では、本体枠１３や前扉枠１４を施錠状態とするための施錠装置が本体枠１３の背面側に隠れて配置される構成となっている。したがって、鉤金具６３が挿入孔７４を介して施錠装置に係止されることによって、前扉枠１４が本体枠１３に対して開放不能に施錠される。
【００７９】
樹脂ベース７１の右下隅部には、施錠装置の解錠操作を行うためのシリンダ錠７５が設置されている。シリンダ錠７５は施錠装置に一体化されており、シリンダ錠７５の鍵穴に差し込んだキーを右に回すと本体枠１３に対する前扉枠１４の施錠が解かれるようになっている。なお、シリンダ錠７５の鍵穴に差し込んだキーを左に回すと外枠１１に対する本体枠１３の施錠が解かれるようになっている。
【００８０】
樹脂ベース７１の中央部には略楕円形状の窓孔７６が形成されている。樹脂ベース７１には遊技盤８１が着脱可能に取り付けられている。遊技盤８１は合板よりなり、遊技盤８１の前面に形成された遊技領域が樹脂ベース７１の窓孔７６を通じて本体枠１３の前面側に露出した状態となっている。
【００８１】
ここで、遊技盤８１の構成を図７に基づいて説明する。遊技盤８１には、ルータ加工が施されることによって前後方向に貫通する大小複数の開口部が形成されている。各開口部には一般入賞口８２，可変入賞装置８３，作動口８４，スルーゲート８５及び可変表示ユニット８６等がそれぞれ設けられている。一般入賞口８２、可変入賞装置８３及び作動口８４に遊技球が入ると、それが後述する検知スイッチにより検知され、その検知結果に基づいて所定数の賞球の払い出しが実行される。その他に、遊技盤８１の最下部にはアウト口８７が設けられており、各種入賞口等に入らなかった遊技球はアウト口８７を通って遊技領域から排出される。また、遊技盤８１には、遊技球の落下方向を適宜分散、調整等するために多数の釘８８が植設されているとともにに、風車等の各種部材（役物）が配設されている。
【００８２】
可変表示ユニット８６には、作動口８４への入賞をトリガとして図柄を可変表示する図柄表示装置９１が設けられている。また、可変表示ユニット８６には、図柄表示装置９１を囲むようにしてセンターフレーム９２が配設されている。センターフレーム９２の上部には、第１特定ランプ部９３及び第２特定ランプ部９４が設けられている。また、センターフレーム９２の上部及び下部にはそれぞれ保留ランプ部９５，９６が設けられている。下側の保留ランプ部９５は、図柄表示装置９１及び第１特定ランプ部９３に対応しており、遊技球が作動口８４を通過した回数は最大４回まで保留され保留ランプ部９５の点灯によってその保留個数が表示されるようになっている。上側の保留ランプ部９６は、第２特定ランプ部９４に対応しており、遊技球がスルーゲート８５を通過した回数は最大４回まで保留され保留ランプ部９６の点灯によってその保留個数が表示されるようになっている。
【００８３】
図柄表示装置９１は、液晶ディスプレイを備えた液晶表示装置として構成されており、後述する表示制御装置により表示内容が制御される。図柄表示装置９１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００８４】
第１特定ランプ部９３では、作動口８４への入賞をトリガとして所定の順序で発光色の切り替えが行われ、予め定められた色で停止表示された場合には大当たりが発生する。また、第２特定ランプ部９４では、遊技球のスルーゲート８５の通過をトリガとして所定の順序で発光色の切り替えが行われ、予め定められた色で停止表示された場合には作動口８４に付随する電動役物が所定時間だけ開放状態となる。
【００８５】
可変入賞装置８３は、通常は遊技球が入賞できない又は入賞し難い閉状態になっており、大当たりの際に遊技球が入賞しやすい所定の開放状態に切り換えられるようになっている。可変入賞装置８３の開放態様としては、所定時間（例えば３０秒間）の経過又は所定個数（例えば１０個）の入賞を１ラウンドとして、複数ラウンド（例えば１５ラウンド）を上限として可変入賞装置８３が繰り返し開放されるものが一般的である。
【００８６】
遊技盤８１には、内レール部１０１と外レール部１０２とが取り付けられており、これら内レール部１０１と外レール部１０２とにより誘導レールが構成され、後述する遊技球発射機構から発射された遊技球が遊技領域の上部に案内されるようになっている。
【００８７】
遊技球発射機構１１０は、図６に示すように、樹脂ベース７１における窓孔７６の下方に取り付けられている。遊技球発射機構１１０は、電磁式のソレノイド１１１と、発射レール１１２と、球送り機構１１３とからなり、ソレノイド１１１への電気的な信号の入力により当該ソレノイド１１１の出力軸が伸縮方向に移動し、球送り機構１１３によって発射レール１１２上に置かれた遊技球を遊技領域に向けて打ち出す。
【００８８】
発射レール１１２と遊技盤８１に取り付けられた内，外レール部１０１，１０２との間には所定間隔の隙間があり、この隙間より下方には前扉枠１４の通路形成ユニット５０に形成されたファール球通路５５が配設されている。したがって、仮に遊技球発射機構１１０から発射された遊技球が遊技領域の上部に到達せずに、内，外レール部１０１，１０２によって構成される誘導レールを逆戻りする場合には、そのファール球がファール球通路５５内に入る。ファール球通路５５は前扉側下皿通路５２に通じており、ファール球通路５５に入った遊技球は下皿３４に排出される。
【００８９】
樹脂ベース７１において発射レール１１２の左方には、樹脂ベース７１を前後方向に貫通させて通路形成部１２１が設けられている。通路形成部１２１には図３に示すように本体側上皿通路１２２と本体側下皿通路１２３とが形成されている。本体側上皿通路１２２及び本体側下皿通路１２３の上流側は、後述する遊技球分配部に通じている。また、通路形成部１２１の下方には前扉枠１４に取り付けられた通路形成ユニット５０の受口部５３が入り込んでおり、本体側上皿通路１２２の下方には前扉側上皿通路５１が配置され、本体側下皿通路１２３の下方には前扉側上皿通路５１が配置されている。
【００９０】
樹脂ベース７１において通路形成部１２１の下方には、本体側上皿通路１２２及び本体側下皿通路１２３を開閉する開閉部材１２４が取り付けられている。開閉部材１２４はその下端に設けられた支軸１２５により前後方向に回動可能に支持されており、さらに本体側上皿通路１２２及び本体側下皿通路１２３を閉鎖する前方位置に付勢する図示しない付勢部材が設けられている。したがって、前扉枠１４を本体枠１３に対して開いた状態では開閉部材１２４が図示の如く起き上がり、本体側上皿通路１２２及び本体側下皿通路１２３を閉鎖する。これにより、本体側上皿通路１２２又は本体側下皿通路１２３に遊技球が貯留されている状態で前扉枠１４を開放した場合、その貯留球がこぼれ落ちてしまうといった不都合が防止できる。これに対し、前扉枠１４を閉じた状態では、前扉枠１４の通路形成ユニット５０に設けられた受口部５３により付勢力に抗して開閉部材１２４が押し開けられる。この状態では、本体側上皿通路１２２と前扉側上皿通路５１とが連通し、さらに本体側下皿通路１２３と前扉側下皿通路５２とが連通している。
【００９１】
次に、本体枠１３の背面構成について説明する。図８は本体枠１３の背面図である。
【００９２】
樹脂ベース７１の背面における回動先端側（図８の左側）には、施錠装置１３１が設けられており、シリンダ錠７５におけるキー操作に対して施錠装置１３１が連動し、本体枠１３及び前扉枠１４の解錠が行われる。
【００９３】
樹脂ベース７１の背面における回動基端側（図８の右側）には、上側軸受け金具１３２及び下側軸受け金具２５０が上下に並設されている。軸受け金具１３２，２５０には、上下に離間させて軸受け部１３３，２５１が形成されており、これら軸受け部１３３，２５１により本体枠１３に対して裏パック機構１５が回動可能に取り付けられている。また、樹脂ベース７１の背面における回動先端側には、裏パック機構１５を本体枠１３に締結するための被締結孔１３４，２５２が設けられている。
【００９４】
樹脂ベース７１の背面には、係止金具１３５が複数設けられており、これら係止金具１３５によって上述したように樹脂ベース７１に対して遊技盤８１が取り付けられている。樹脂ベース７１の下部には、金属板を折り曲げて形成した本体枠補強部材２５３が設けられている。本体枠補強部材２５３は遊技盤８１の下方（詳しくは遊技盤８１と本体枠１３との境界部位よりも下側）に配置されており、その遊技盤８１の下端縁に沿って延びる（左右方向に延びる）長尺状をなす。この本体枠補強部材２５３により本体枠１３の補強が図られている。本体枠補強部材２５３は、長板状の取付部２５４と、取付部２５４に連なる延出部２５５，２５６とを備えている。取付部２５４の板面は、樹脂ベース７１の背面とほぼ同一面上となるように構成されている。また、取付部２５４は、遊技盤８１の下端縁に沿って延びている。延出部２５５，２５６は取付部２５４の前面側に形成されている。詳述すれば、延出部２５５，２５６は、取付部２５４の上側及び下側の長辺から樹脂ベース７１の前面に向かって延びている。これら取付部２５４及び延出部２５５，２５６に囲まれた部分によって、パチンコ機１０の前方に開放された溝部２５７が構成されている。
【００９５】
樹脂ベース７１には、この本体枠補強部材２５３に対応して凹んだ収容凹部２５８が形成されている。本体枠補強部材２５３は、収容凹部２５８に収容された状態でビス等の締結具により固定されている。
【００９６】
遊技盤８１の背面の構成を説明する。図９は遊技盤８１を後方より見た斜視図、図１０は遊技盤８１から主制御装置ユニット１６０を取り外した状態を示す背面図である。
【００９７】
遊技盤８１の中央に配置される可変表示ユニット８６には、センターフレーム９２を背後から覆う合成樹脂製のフレームカバー１４１が後方に突出させて設けられており、フレームカバー１４１に対して後側から上述した図柄表示装置９１が取り付けられるとともに、その図柄表示装置を駆動するための表示制御装置が取り付けられている（図示は省略）。これら図柄表示装置９１及び表示制御装置は前後方向に重ねて配置され（図柄表示装置が前、表示制御装置が後）、さらにその後方に音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【００９８】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【００９９】
遊技盤８１の背面には、図１０に示すように、可変表示ユニット８６の下方に集合板ユニット１５０が設けられている。集合板ユニット１５０には、各種入賞口に入賞した遊技球を回収するための遊技球回収機構や、各種入賞口等への遊技球の入賞を検知するための入賞検知機構などが設けられている。
【０１００】
遊技球回収機構について説明すると、集合板ユニット１５０には、前記一般入賞口８２、可変入賞装置８３、作動口８４の遊技盤開口部に対応して且つ下流側で１カ所に集合する回収通路１５１が形成されている。したがって、一般入賞口８２等に入賞した遊技球は何れも回収通路１５１を介して遊技盤８１の下方に集合する。遊技盤８１の下方には後述する排出通路があり、回収通路１５１により遊技盤８１の下方に集合した遊技球は排出通路内に導出される。なお、アウト口８７も同様に排出通路に通じており、何れの入賞口にも入賞しなかった遊技球もアウト口８７を介して排出通路内に導出される。
【０１０１】
入賞検知機構について説明すると、集合板ユニット１５０には、遊技盤８１表側の一般入賞口８２と対応する位置に入賞口スイッチ１５２が設けられ、可変入賞装置８３と対応する位置にカウントスイッチ１５３が設けられ、作動口８４に対応する位置に作動口スイッチ１５４が設けられている。これらスイッチ１５２〜１５４により遊技球の入賞がそれぞれ検知される。なお、集合板ユニット１５０外における可変表示ユニット８６の左右両側には、スルーゲート８５を通過する遊技球を検知するゲートスイッチ１５５が設けられている。
【０１０２】
遊技盤８１の背面には、集合板ユニット１５０を後側から覆うようにして主制御装置ユニット１６０が搭載されている。主制御装置ユニット１６０の構成について図１１を用いて説明する。図１１は主制御装置ユニット１６０の構成を示す斜視図である。
【０１０３】
主制御装置ユニット１６０は、合成樹脂製の取付台１６１を有し、取付台１６１に主制御装置１６２が搭載されている。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【０１０４】
基板ボックス１６３は、略直方体形状のボックスベース（表ケース体）とこのボックスベースの開口部を覆うボックスカバー（裏ケース体）とを備えている。これらボックスベースとボックスカバーとは封印手段としての封印部１６４によって開封不能に連結され、これにより基板ボックス１６３が封印されている。封印部１６４は、基板ボックス１６３の長辺部に５つ設けられ、そのうち少なくとも一つが用いられて封印処理が行われる。
【０１０５】
封印部１６４はボックスベースとボックスカバーとを開封不能に結合する構成であれば任意の構成が適用できるが、封印部１６４を構成する長孔に係止爪を挿入することでボックスベースとボックスカバーとが開封不能に結合されるようになっている。封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、５つの封印部１６４のうち、少なくとも一つの長孔に係止爪を挿入することにより封印処理が行われる。そして、収容した主制御基板の不具合発生の際や主制御基板の検査の際など基板ボックス１６３を開封する場合には、係止爪が挿入された封印部と他の封印部との連結部分を切断する。これにより、基板ボックス１６３のボックスベースとボックスカバーとが分離され、内部の主制御基板を取り出すことができる。その後、再度封印処理する場合は他の封印部の長孔に係止爪を挿入する。基板ボックス１６３の開封を行った旨の履歴を当該基板ボックス１６３に残しておけば、基板ボックス１６３を見ることで不正な開封が行われた旨が容易に発見できる。
【０１０６】
基板ボックス１６３の一方の短辺部には、その側方に突出するようにして複数の結合片１６５が設けられている。これら結合片１６５は、取付台１６１に形成された複数の被結合片１６６と１対１で対応しており、結合片１６５と被結合片１６６とにより基板ボックス１６３と取付台１６１との間で封印処理が行われる。
【０１０７】
次に、裏パック機構１５について説明する。図１２は裏パック機構１５の正面図、図１３は裏パック機構１５の分解斜視図である。
【０１０８】
裏パック機構１５は、裏パック２０１及び制御装置集合ユニット２６０を備えている。裏パック２０１及び制御装置集合ユニット２６０は、裏パック２０１を上側、制御装置集合ユニット２６０を下側として配置されている。より詳しくは、制御装置集合ユニット２６０の一部分が裏パック２０１に対してパチンコ機１０の後方から重なる構成となっている。
【０１０９】
裏パック２０１は、遊技盤８１の背面側すなわち音声ランプ制御装置ユニット１４２等を覆っている。これにより、音声ランプ制御装置ユニット１４２等の保護を図っている。本パチンコ機１０においては、島設備からの遊技球の供給がパチンコ機１０（詳しくは裏パック２０１）の上方より行なわれる。例えば遊技球がこぼれた場合、裏パック２０１によって、音声ランプ制御装置ユニット１４２等への遊技球の衝突を回避することができる。
【０１１０】
次に裏パック２０１の主要な構成について説明する。裏パック２０１は、骨格をなすベース部２１１とパチンコ機１０後方に突出し略直方体形状をなす保護カバー部２１２とを備えている。これらベース部２１１及び保護カバー部２１２は、合成樹脂材料によりそれぞれ別体で設けられており、ビス等の締結具によって結合されている。ベース部２１１は、矩形枠の下枠部分を除いた形状（門型状）をなす。保護カバー部２１２は、左右側面及び上面が閉鎖され且つ下面のみが開放された形状をなし、ベース部２１１によって囲まれた領域を覆っている。ベース部２１１の左右両側の下端部は保護カバー部２１２よりも下方へ突出している。以下、ベース部２１１における、それら下方に突出した部分を、下方突出部２１１ａ，２１１ｂと称する。
【０１１１】
なお、ベース部２１１及び保護カバー部２１２は、透明性を有する合成樹脂で構成されている。このため、裏パック２０１を取り付けた状態であっても、遊技盤８１の背面側（例えば主制御装置ユニット１６０等）が視認可能となっている。本実施の形態においては、ベース部２１１及び保護カバー部２１２を別体で設け、締結具によって結合（一体化）したが、両者を合成樹脂材料により一体成形することも可能である。
【０１１２】
ベース部２１１には、その右上部に外部端子板２１３が設けられている。外部端子板２１３には各種の出力端子が設けられており、これらの出力端子を通じて遊技ホール側の管理制御装置に対して各種信号が出力される。また、ベース部２１１における本体枠１３の回動基端側の端部には上下一対の掛止ピン２１４が設けられており、掛止ピン２１４を本体枠１３に設けられた前記軸受け部１３３に挿通させることで、裏パック２０１が本体枠１３に対して回動可能に支持されている。
【０１１３】
ベース部２１１には、保護カバー部２１２を迂回するようにして払出機構部２０２が配設されている。すなわち、裏パック２０１の最上部には上方に開口したタンク２２１が設けられており、タンク２２１には遊技ホールの島設備から供給される遊技球が逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【０１１４】
遊技球分配部２２５は、払出装置２２４より払い出された遊技球を上皿３３、下皿３４又は後述する排出通路の何れかに振り分けるための機能を有し、内側の開口部２２６が上述した本体側上皿通路１２２及び前扉側上皿通路５１を介して上皿３３に通じ、中央の開口部２２７が本体側下皿通路１２３及び前扉側下皿通路５２を介して下皿３４に通じ、外側の開口部２２８が排出通路に通じるように形成されている。
【０１１５】
払出機構部２０２には、裏パック基板２２９が設置されている。裏パック基板２２９には、例えば交流２４ボルトの主電源が供給され、電源スイッチ２２９ａの切替操作により電源ＯＮ又は電源ＯＦＦとされるようになっている。
【０１１６】
ベース部２１１の下部には、ベース部２１１よりも高強度且つ高硬度な金属製の裏パック補強部材２６１が設けられている。裏パック補強部材２６１は、裏パック２０１の左右方向の長さとほぼ同等の長さを有する。この裏パック補強部材２６１によってベース部２１１の左右の下方突出部２１１ａ，２１１ｂが繋がれている。換言すれば、裏パック補強部材２６１によって、ベース部２１１が環状をなす構成となっている。これにより、裏パック２０１の剛性向上が図られている。
【０１１７】
裏パック補強部材２６１を高強度な金属製とすることで、特に裏パック２０１の下部における剛性を担保することが容易となる。これにより裏パック２０１の下部に後方に開放された部位（すなわち保護カバー部２１２によって覆われない部位）を設けることができる。保護カバー部２１２を大型化したり、下方の開放部分を閉じたりすることで剛性を向上することも可能であるが、かかる場合、補強に必要となるスペースが増大しやすいと考えられる。しかしながら、本実施の形態においては、裏パック補強部材２６１に金属材を用いることで、より少ないスペースでの補強を達成している。これにより、保護カバー部２１２の大型化等を抑制し、裏パック２０１の下部における構成部品の配置自由度の向上に貢献している。
【０１１８】
図４等に示すように、裏パック２０１における後方に開放された部位（保護カバー部２１２によって覆われていない部位）の前方に前記主制御装置１６２が配置されており、主制御装置１６２の大半がパチンコ機１０の後方から直接視認可能となっている。すなわち、裏パック２０１を閉じた状態での主制御装置１６２の視認性の向上が図られている。これにより、主制御装置１６２のメンテナンス性の向上、及び主制御装置１６２に対する不正発見の容易化に貢献している。
【０１１９】
図１３や図１４等に示しように、裏パック補強部材２６１は、遊技盤８１の下端部と本体枠１３との境界部位の後方に配置された支持板部２６２を有する。支持板部２６２は、遊技盤８１の下端縁に沿って延びる長板状をなしている。その支持板部２６２の板面は、遊技盤８１の背面とベース部２１１の背面とに対向している。支持板部２６２の上側の端部には、遊技盤８１の背面に向かって（パチンコ機１０の前方に）延びる上側延出部２６３が形成されている。また、支持板部２６２の下側の端部には、本体枠１３の背面に向かって（パチンコ機１０の前方に）延びる下側延出部２６４が形成されている。これら支持板部２６２と上側延出部２６３と下側延出部２６４とにより、裏パック補強部材２６１が構成されている。なお、裏パック補強部材２６１は、長板材の各長辺を同一側に折り曲げて形成されている。このため、支持板部２６２と両延出部２６３，２６４とが隙間無く連続している。裏パック補強部材２６１を、切削や鋳造等の加工手段によって製造することも可能である。
【０１２０】
また、支持板部２６２と上側延出部２６３と下側延出部２６４とにより囲まれた部分によって溝部２６５が形成されている（図３等参照）。溝部２６５は、遊技盤８１の下端縁に沿って延びるとともに、前方に開放された断面略コ字状をなしている。
【０１２１】
上側延出部２６３は遊技盤８１に対して近接して設けられている。より詳しくは、上側延出部２６３と遊技盤８１との間には遊技球の直径寸法よりも小さなクリアランスが設けられている。下側延出部２６４と本体枠１３（詳しくは本体枠補強部材２５３）との関係も同様である。これにより、裏パック補強部材２６１と遊技盤８１及び本体枠１３との間に遊技球が嵌まり込むといった不都合を回避している。なお、上側延出部２６３と遊技盤８１との間の隙間は必ずしも必要ではなく、両者が接触する構成とすることも可能である。下側延出部２６４及び本体枠１３（詳しくは本体枠補強部材２５３）についても同様に、両者が接触する構成としてもよい。
【０１２２】
支持板部２６２の左右の端部には、ベース部２１１への取付部たる貫通孔（図示略）が形成されており、裏パック補強部材２６１はそれら貫通孔にビス等の締結具を通した状態でベース部２１１に固定されている。
【０１２３】
再び図１２等を用いて、前記制御装置集合ユニット２６０について説明する。上述したように、制御装置集合ユニット２６０は、ベース部２１１に一部重なった状態で配置されている。制御装置集合ユニット２６０は、裏パック２０１とほぼ同等の大きさ（左右方向寸法）を有している。制御装置集合ユニット２６０は、本体枠１３への取付部を有する取付台２４１を備えている。取付台２４１には、遊技球をパチンコ機１０の外部へ排出する排出通路盤２０３と、遊技球の払い出しを制御する払出制御装置２４２と、電源及び発射制御装置２４３（以下、電源装置２４３ともいう）とが取り付けられている。より詳細には、取付台２４１を前後に挟むようにして、排出通路盤２０３と各制御装置２４２，２４３が取付台２４１に取り付けられている。なお、本実施の形態では、電源装置に発射制御装置を含める構成したが、電源装置に発射制御装置を含めない構成としてもよい。すなわち、電源装置と発射制御装置とを別体で構成することも可能である。
【０１２４】
取付台２４１は、裏パック２０１とほぼ同等の大きさ（左右方向の大きさ）の略矩形状をなし、ベース部２１１の下端部から本体枠１３の下端部までのほぼ全域を覆っている。より詳しくは、ベース部２１１の下方突出部２１１ａ，２１１ｂと裏パック補強部材２６１とをパチンコ機１０の後方から覆っている。以下、取付台２４１におけるパチンコ機１０の後側を取付台２４１の表面側、パチンコ機１０の前側を取付台２４１の背面側として説明する。
【０１２５】
取付台２４１の表面側には、上述した電源装置２４３が設けられている。電源装置２４３は、ビス等の締結具によって取付台２４１に固定されている。この電源装置２４３には、払出制御装置２４２がビス等の締結具によって固定されている。すなわち、取付台２４１と払出制御装置２４２とによって電源装置２４３が前後で挟まれた状態となっている。
【０１２６】
電源装置２４３は、その基板のハンダ面を取付台２４１の表面と対向させて配置されている。取付台２４１は、裏パック２０１同様、透明性を有する合成樹脂により成形されている。このように透明性を有することで、電源装置２４３のハンダ面が取付台２４１を介して視認可能となっている。因みに、払出制御装置２４２を取付台２４１に取り付け、払出制御装置２４２に電源装置２４３を取り付ける構成とすることも可能である。
【０１２７】
取付台２４１における、本体枠１３の回動基端側と同一側の端部には、上下一対の掛止ピン２６６が設けられている。掛止ピン２６６を本体枠１３に設けられた軸受け部２５１に挿通させることで、取付台２４１（制御装置集合ユニット２６０）が本体枠１３に対して回動可能に支持されている。
【０１２８】
本実施の形態においては特に、取付台２４１の回動基軸と裏パック２０１の回動基軸とが同一軸線上に設けられており、取付台２４１及び裏パック２０１の両者を一体として開閉することが可能となっている。より詳しくは、上述のごとく裏パック２０１と制御装置集合ユニット２６０（詳しくは取付台２４１）とは回動方向に重なる配置となっている。このため、裏パック２０１を開方向へ回動させる際には、制御装置集合ユニット２６０を同時又は事前に開方向へ回動させる必要がある。一方、制御装置集合ユニット２６０は、単独で開方向へ回動させることが可能となっている。
【０１２９】
取付台２４１の回動先端側には、裏パック２０１に設けられた被締結孔１３４，２５２に対して締結するための締結具２１５，２６７が上下に並設されており、当該締結具２１５，２６７を被締結孔１３４，２５２に嵌め込むことで本体枠１３に対して取付台２４１が固定されている。より詳細には、下側の締結具２６７は被締結孔２５２に直接嵌め込まれる一方、上側の締結具２１５は裏パック２０１のベース部２１１に形成された貫通孔２６８に挿通された状態、すなわちベース部２１１を間に挟んだ状態で被締結孔１３４に嵌め込まれる。これにより、制御装置集合ユニット２６０（取付台２４１）及び裏パック２０１が本体枠１３に対して固定される。
【０１３０】
次に排出通路盤２０３の主要な構成について説明する。排出通路盤２０３は、取付台２４１の背面と対向する板状の基部２３０を備えている。基部２３０には図示せぬ複数の貫通孔が形成されており、排出通路盤２０３は、これら貫通孔にビス等の締結具を挿通した状態で取付台２４１に固定されている。基部２３０における取付台２４１と対向する面には、後方へ開放された排出通路２３１が形成されている。排出通路２３１の開放部は取付台２４１によって塞がれている。排出通路盤２０３も取付台２４１と同様に透明性を有する合成樹脂により形成されており、球詰まり等の確認が容易となっている。
【０１３１】
基部２３０には、回収通路１５１やアウト口８７から落下した遊技球が当たる球受け部２７０が設けられている。球受け部２７０は、基部２３０の上端縁において、遊技盤８１の背面に向かって延びる板状に形成されている。換言すれば、球受け部２７０は、その後端部において、取付台２４１に固定された基部２３０と連結された状態となっている。球受け部２７０の下方には、他の構成部品（詳しくは後述する裏パック補強部材２６１）との間で空間が形成されている。このため、球受け部２７０の下方への撓み変形が許容されている。
【０１３２】
ここで、図１３を用いて、球受け部２７０と排出通路２３１との相互の関係について説明する。球受け部２７０は、前記排出通路２３１よりも前方に配置されており、遊技盤８１から排出通路２３１に向けて下り傾斜している。球受け部２７０の上面は、アウト口８７等から落下する遊技球が接触する平面状の接触面２７０ａを構成している。これにより、接触面２７０ａに当たった遊技球は、接触面２０ａの傾斜によって球受け部２７０の後方に設けられた排出通路２３１に誘導される。
【０１３３】
球受け部２７０と排出通路２３１の上部（遊技球の入口部位）とは、ほぼ同等の大きさ（左右方向寸法）で形成されている。排出通路２３１に分散された状態で誘導された遊技球は、排出通路２３１を下るに従い集約され、排出通路２３１の下端部に設けられた排出口２３２から遊技機外部へと排出される。
【０１３４】
このように球受け部２７０上で遊技球を集約するのではなく排出通路２３１にて遊技球の集約することで、球受け部２７０上で遊技球が滞留し、滞留中の遊技球と新たに落下してきた遊技球とが当たるといった不都合を生じにくい。これにより、遊技球同士が勢いよく当たることで発生する打音を好適に抑制することができる。
【０１３５】
排出通路盤２０３は、裏パック２０１の裏パック補強部材２６１を収容する収容部２７１が設けられている（図３参照）。より具体的には、球受け部２７０の下方には、球受け部２７０と対向する平板部２７２が設けられている。平板部２７２は、球受け部２７０とほぼ同等の大きさ（左右方向寸法）を有する。平板部２７２と本体枠１３との関係は、球受け部２７０と遊技盤８１との関係と同様である。すなわち、平板部２７２は、基部２３０から本体枠１３の背面に向かって延設されている。これら球受け部２７０と平板部２７２と基部２３０とで囲まれた領域によって、収容部２７１が構成されている。収容部２７１はパチンコ機１０の前方に開放された溝状をなす。
【０１３６】
球受け部２７０の下面（収容部２７１の天壁）と裏パック補強部材２６１の上側延出部２６３の上面（補強面２６３ａ）とは略平行に形成されており、補強面２６３ａは、裏パック補強部材２６１が収容部２７１に収容された状態で球受け部２７０に対し若干のクリアランス(本実施の形態においては０．２〜０．３ｍｍ程度)を有する。
【０１３７】
なお、上述したように球受け部２７０（詳しくはその下面）を傾斜させることで、裏パック補強部材２６１が、収容部２７１に収容される際に収容部２７１と引っ掛かるといった不都合を抑制することができる。制御装置集合ユニット２０４は裏パック２０１に対して独立開閉が可能となっている。これにより、球受け部２７０の破損等の確認や球受け部２７０等に対する不正等の確認が容易なものとなっている。制御装置集合ユニット２０４は、上述の如く電源装置２４３等を備えており重量がかさみやすい。制御装置集合ユニット２０４が回動する際には自重によって下方に下ることが考えられる。裏パック補強部材２６１に対する相対位置が下方に位置がばらついた状態で収容部２７１に収容される場合、上側延出部２６３の後端部（詳しくは補助面２６３ａの後端縁）が球受け部２７０の下面に当たる。収容部２７１の前方への移動に伴って裏パック補強部材２６１が収容部２７１へ嵌まり込む際に、裏パック補強部材２６１は球受け部２７０の下面沿って収容部２７１の奥側へ案内される。このため、裏パック補強部材２６１と収容部２７１との引っ掛かりを抑制し、作業性を担保することができる。
【０１３８】
裏パック２０１に対する制御装置集合ユニット２０４の位置決めは、これら収容部２７１及び裏パック補強部材２６１以外の部分で行なわれる。具体的には、係止ピン２６６が下側軸受け金具２５０に嵌まった状態で、制御装置集合ユニット２０４の回動先端側に設けられた図示せぬと突起が裏パック２０１の下方突出部２１１ａに設けられた図示せぬ円筒部に嵌まることで位置決めがなされている。すなわち、制御装置集合ユニット２０４を閉じる際には、先ず裏パック補強部材２６１及び収容部２７１によってガイドされ、突起や円筒部等によって位置決めがなされる。位置決めがなされた状態においては、裏パック補強部材２６１及び収容部２７１の間に上記クリアランスが確保された状態となる。
【０１３９】
収容部２７１の下側であって、本体枠１３と排出通路２３１との間に形成される空間には、縦横に交差するようにして複数のリブ２７３が形成されている（図３参照）。これらリブ２７３によって排出通路２３１を本体枠１３から離間させるとともに、当該排出通路２３１の補強を行っている。なお、これらリブ２７３は、本体枠１３と排出通路盤２０３との間に形成される空間を細分化し、不正基板等の設置を抑制する不正防止手段としての機能を併せ有する。
【０１４０】
上述したアウト口８７や回収通路１５１等から排出された遊技球は、球受け部２７０を介して排出通路２３１に導かれる。排出通路２３１は遊技ホールの島設備等へ遊技球を排出するように形成されており、同排出通路２３１を通ることで遊技球がパチンコ機１０外部に排出される。
【０１４１】
ここで、図１４に基づき、パチンコ機１０の完成状態における、本体枠１３及び遊技盤８１の境界部位と裏パック機構１５との位置関係について説明する。図１４は、図４のＡ−Ａ線部分端面図である。なお、図４における右側がパチンコ機１０における前側であり、同図４の左側がパチンコ機１０における後側である。
【０１４２】
裏パック補強部材２６１は、本体枠１３と遊技盤８１の下端部との間に形成された前後方向に延びる境界部位の後方に配置されている。より詳しくは、裏パック補強部材２６１の溝部２６５が境界部位の後方に配置されている。また、裏パック補強部材２６１の下端縁は、本体枠補強部材２５３の上端縁よりも下方となるように設定されている。つまり、パチンコ機１０の正面視においては、裏パック補強部材２６１の上端部と本体枠補強部材２５３の下端部とが重なっている。排出通路２３１は、裏パック補強部材２６１よりも後方に設けられており、裏パック補強部材２６１によって本体枠１３と遊技盤８１の下端部との境界部位から遮蔽された状態となっている。なお、本体枠１３と遊技盤８１の下端部との境界部位の前方には前扉枠１４が設けられており、前扉枠１４を閉じた状態においてはパチンコ機１０の前方からの前記境界部位の視認しにくくなっている。
【０１４３】
ここで、遊技球の排出の流れについて同図１４を用いて説明する。一般入賞口８２等に入賞した遊技球Ｂは回収通路１５１を通り、遊技盤８１の背面側で自重落下する。また、一般入賞口８２等に入らず遊技領域を流下した遊技球Ｂはアウト口８７を介して遊技盤８１の背面側で自重落下する。このように落下した遊技球Ｂは、球受け部２７０に当たる。遊技球Ｂの落下経路は複数設けられており、球受け部２７０の複数箇所に分散して当たる。このため、球受け部２７０に生じる負担が局所的に集中しない構成となっている。
【０１４４】
遊技球Ｂが球受け部２７０に当たることで、球受け部２７０は下方（すなわち裏パック補強部材２６１との距離を縮める方向）に撓む。遊技球Ｂが複数同時に当たる等して、球受け部２７０の撓みが大きくなると、球受け部２７０が裏パック補強部材２６１（詳しくは上側延出部２６３）の前端部に当たる。これにより球受け部２７０の変形が制限される（止められる）。減勢された遊技球Ｂは球受け部２７０の接触面２７０ａに沿って排出通路２３１に案内される。遊技球Ｂは排出通路２３１を通過することで集約され、パチンコ機１０の外部（例えば島設備）に返却される。
【０１４５】
再び図１２及び図１３を用いて、払出制御装置２４２と電源装置２４３とについて詳細に説明する。上述したように、払出制御装置２４２と電源装置２４３とは、取付台２４１の表面側に重ねて搭載されている。
【０１４６】
払出制御装置２４２は、基板ボックス２４４内に払出装置２２４を制御する払出制御基板が収容されている。なお、払出制御装置２４２から払出装置２２４への払出指令の信号は上述した裏パック基板２２９により中継される。また、払出制御装置２４２には状態復帰スイッチ２４５が設けられている。例えば、払出装置２２４における球詰まり等、払出エラーの発生時において状態復帰スイッチ２４５が押されると、球詰まりの解消が図られるようになっている。
【０１４７】
電源及び発射制御装置２４３は、基板ボックス２４６内に電源及び発射制御基板が収容されており、当該基板により、各種制御装置等で要する所定の電源が生成されて出力され、さらに遊技者による遊技球発射ハンドル４１の操作に伴う遊技球の打ち出しの制御が行われる。また、電源及び発射制御装置２４３にはＲＡＭ消去スイッチ２４７が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ２４７を押しながら電源を投入すると、ＲＡＭデータが初期化されるようになっている。
【０１４８】
次に、パチンコ機１０の電気的構成について、図１５のブロック図に基づいて説明する。図１５では、電力の供給ラインを二重線矢印で示し、信号ラインを実線矢印で示す。
【０１４９】
主制御装置１６２に設けられた主制御基板３０１には、主制御回路３０２と停電監視回路３０３とが内蔵されている。主制御回路３０２には、ＣＰＵ３１１が搭載されている。ＣＰＵ３１１には、当該ＣＰＵ３１１により実行される各種の制御プログラムや固定値データを記憶したＲＯＭ３１２と、そのＲＯＭ３１２内に記憶される制御プログラムの実行に際して各種のデータ等を一時的に記憶するためのメモリであるＲＡＭ３１３と、割込回路やタイマ回路、データ入出力回路などの各種回路が内蔵されている。
【０１５０】
ＲＡＭ３１３は、パチンコ機１０の電源の遮断後においても電源及び発射制御装置２４３に設けられた電源及び発射制御基板３２１からデータ記憶保持用電力が供給されてデータが保持される構成となっている。
【０１５１】
ＣＰＵ３１１には、アドレスバス及びデータバスで構成されるバスラインを介して入出力ポートが接続されている。主制御回路３０２の入力側には、主制御基板３０１に設けられた停電監視回路３０３、払出制御装置２４２に設けられた払出制御基板３２２及びその他図示しないスイッチ群などが接続されている。この場合に、停電監視回路３０３には電源及び発射制御基板３２１が接続されており、主制御回路３０２には停電監視回路３０３を介して電力が供給される。
【０１５２】
一方、主制御回路３０２の出力側には、停電監視回路３０３、払出制御基板３２２及び中継端子板３２３が接続されている。払出制御基板３２２には、賞球コマンドなどといった各種コマンドが出力される。中継端子板３２３を介して主制御回路３０２から音声ランプ制御装置１４３に設けられた音声ランプ制御基板３２４に対して各種コマンドなどが出力される。
【０１５３】
停電監視回路３０３は、主制御回路３０２と電源及び発射制御基板３２１とを中継し、また電源及び発射制御基板３２１から出力される最大電源である直流安定２４ボルトの電源を監視する。
【０１５４】
払出制御基板３２２は、払出装置２２４により賞球や貸し球の払出制御を行うものである。演算装置であるＣＰＵ３３１は、そのＣＰＵ３３１により実行される制御プログラムや固定値データ等を記憶したＲＯＭ３３２と、ワークメモリ等として使用されるＲＡＭ３３３とを備えている。
【０１５５】
払出制御基板３２２のＲＡＭ３３３は、主制御回路３０２のＲＡＭ３１３と同様に、パチンコ機１０の電源の遮断後においても電源及び発射制御基板３２１からデータ記憶保持用電力が供給されてデータが保持される構成となっている。
【０１５６】
払出制御基板３２２のＣＰＵ３３１には、アドレスバス及びデータバスで構成されるバスラインを介して入出力ポートが接続されている。払出制御基板３２２の入力側には、主制御回路３０２、電源及び発射制御基板３２１、及び裏パック基板２２９が接続されている。また、払出制御基板３２２の出力側には、主制御回路３０２及び裏パック基板２２９が接続されている。
【０１５７】
電源及び発射制御基板３２１は、電源部と発射制御部とを備えている。電源部は、二重線矢印で示す経路を通じて、主制御回路３０２や払出制御基板３２２等に対して各々に必要な動作電力を供給する。発射制御部は、遊技者による遊技球発射ハンドル４１の操作にしたがって遊技球発射機構１１０の発射制御を担うものであり、遊技球発射機構１１０は所定の発射条件が整っている場合に駆動される。
【０１５８】
音声ランプ制御基板３２４は、各種ランプ部２３〜２５やスピーカ部２６、及び表示制御装置３２５を制御するものである。演算装置であるＣＰＵ３４１は、そのＣＰＵ３４１により実行される制御プログラムや固定値データ等を記憶したＲＯＭ３４２と、ワークメモリ等として使用されるＲＡＭ３４３とを備えている。
【０１５９】
音声ランプ制御基板３２４のＣＰＵ３４１にはアドレスバス及びデータバスで構成されるバスラインを介して入出力ポートが接続されている。音声ランプ制御基板３２４の入力側には中継端子板３２３に中継されて主制御回路３０２が接続されており、主制御回路３０２から出力される各種コマンドに基づいて、各種ランプ部２３〜２５、スピーカ部２６、及び表示制御装置３２５を制御する。表示制御装置３２５は、音声ランプ制御基板３２４から入力する表示コマンドに基づいて図柄表示装置９１を制御する。
【０１６０】
以上詳述した本実施の形態によれば、以下の優れた効果を奏する。
【０１６１】
遊技盤８１の遊技領域を流下した遊技球は、遊技盤８１の一般入賞口８２やアウト口８７等を介して遊技盤８１の背面側に案内される。遊技盤８１の背面側方に至った遊技球は、下方に落下し、裏パック機構１５の球受け部２７０に当たる。球受け部２７０と裏パック補強部材２６１の上側延出部２６３との間に若干の隙が設けられているため、遊技球が球受け部２７０に当たった際には、球受け部２７０が下方に撓む。これにより、遊技球と球受け部２７０との打音を低減することが可能となる。
【０１６２】
球受け部２７０に落下する遊技球においては、球受け部２７０の変形によってその落下エネルギの一部が吸収されやすくなっている。すなわち、仮に球受け部２７０上で複数回跳ね返ったとしても、２回目以降の跳ね返り時の打音が積極的に低減される。
【０１６３】
なお、球受け部２７０は排出通路２３１の入口に向かって僅かに傾斜しているため、遊技球が球受け部２７０上に留まることなく、排出通路２３１に誘導されやすくなっている。
【０１６４】
図１４等に示すように、球受け部２７０の下側に、裏パック補強部材２６１を近接して配置した。仮に球受け部２７０に欠け等が発生したとしても遊技球がその欠けた部分から抜け落ちるといった不都合を防止することができる。
【０１６５】
球受け部２７０に衝突する遊技球の量に応じて、減勢の対応を変化させることができる。より詳しくは、球受け部２７０に同時に衝突する遊技球の量が少ないときは、球受け部２７０のみを撓ませて積極的に打音の低減を図ることができる。一方、球受け部２７０に同時に衝突する遊技球の量が多くなると、球受け部２７０にかかる負担が増大する。かかる場合、球受け部２７０が撓むことで裏パック補強部材２６１に接触し、球受け部２７０の撓みが制限される（止められる）。これにより、球受け部２７０の過度の変形を抑えることができる。故に、球受け部２７０が塑性領域まで変形し、撓みが機能しなくなることで、打音低減の機能が損なわれるといった不都合を抑制できる。また、球受け部２７０が撓みすぎることで割れや欠け等が生じ、遊技球の流れが妨げられるといった不都合も抑制することができる。
【０１６６】
遊技盤８１の背面側には、回収通路１５１が設けられており、この回収通路１５１を介して遊技球が落下することで、遊技球の収集がなされたり、遊技球の落下速度の低減がなされたりする。上述の如く、球受け部２７０に生じる負荷に応じて段階的な対応を可能とすることで、許容可能な負荷の範囲を広げることができる。すなわち、裏パック補強部材２６１によって塑性領域まで変形することを回避できるため、例えば球受け部２７０に対してより大きい負荷（例えば離れた位置からの遊技球の落下）を許容することができる。これにより、回収通路１５１による遊技球の減速の必要性を抑えることができ、回収通路１５１の簡略化に貢献できる。例えば、遊技盤８１の上側に一般入賞口８２等の開口を設けた場合であっても、遊技球の落下距離の増加に応じて、球受け部２７０に至るまで遊技球の加速を抑える蛇行通路等を設けなくてもよい。また、仮に一般入賞口８２等の開口を上下に複数並設されている場合、それら開口からの落下球が上下に重なって球受け部２７０に当たればその負荷は大きなものとなる。各開口から落下する遊技球を球受け部２７０の異なる位置に誘導するように通路を設定することで、遊技球が重なって当たることを回避可能ではあるが、これに起因して回収通路１５１は複雑化することとなる。上述したように、球受け部２７０が大きな負荷を許容可能とすることで、遊技球が上下に重なって当たることを許容することができ、回収通路１５１の簡素化に貢献できる。
【０１６７】
上述の如く球受け部２７０及び裏パック補強部材２６１を設けることで、遊技球の打音低減を図りつつ、球受け部２７０の保護を可能とし、更に回収通路１５１の簡略化に貢献することができる。
【０１６８】
なお、球受け部２７０は、図１４に示すような断面視において、その一側部が固定端、他方の側部が自由端となっている。すなわち、固定端を基端として自由端側を撓ませやすい構成となっている。撓み変形の比較的容易な自由端側に遊技球が当たることで、その打音は一層好適に抑えられる。
【０１６９】
本実施の形態においては、球受け部２７０を合成樹脂製とした。これにより、遊技球が球受け部２７０に衝突した際の不快な打音を低減することができる。一方、裏パック補強部材２６１を金属製とした。これにより、所望とする強度を容易に担保することができ、球受け部２７０の補助を好適に行うことができる。裏パック補強部材２６１は裏パック２０１の補強部材としての機能を有し、裏パック２０１を開放した際の歪みを抑え、作業性の向上に貢献している。さらに、裏パック２０１を本体枠１３に固定した状態では、本体枠１３の補強にも寄与している。図２等に示すように、本体枠が大きな開口部を有する場合、剛性の確保が困難になりやすい。かかる場合、裏パック補強部材２６１によって、本体枠１３を含む複数の対象を補強することによる技術的貢献度は大きいものとなる。
【０１７０】
なお、制御装置集合ユニット２６０の収容部２１７は、略コ字状断面を有しパチンコ機１０の後方で窄む構成となっている。このため、球受け部２７０（詳しくは収容部２７１）と裏パック補強部材２６１とが近接して配置されていたとしても、組み付け時に引っ掛かるといった不都合を回避することができる。故に、作業の煩雑化を回避することができる。
【０１７１】
図１４に示すように、裏パック補強部材２６１を、遊技盤８１の下端部と本体枠１３との境界部位の後方に配置した。パチンコ機１０の前方から境界部位に不正具が挿入された際には、その不正具が裏パック補強部材２６１に当たる。これにより、不正具の侵入を抑え、遊技盤８１の背面側を流下する遊技球（アウト球）にアクセスされるといった不都合を抑制することができる。故に、裏パック補強部材２６１によって裏パック２０１の補強と、境界部位を介して行なわれる不正の抑制とを実現することができる。
【０１７２】
遊技盤８１を、本体枠１３に対してパチンコ機１０後方から着脱する構成としたことで、パチンコ機１０前方からの遊技盤８１の取り外しを規制できる。すなわち、遊技盤８１の着脱を行う際には、本体枠１３を開放するとともに裏パック機構１５を開放しなければならない。前扉枠１４を開放しただけで遊技盤８１の取り外しが可能となる構成よりも、防犯性を高めることができる。
【０１７３】
かかるパチンコ機において遊技盤８１と本体枠１３との境界部位を後方から覆う遮蔽部材等を設定した場合、遊技盤８１をメンテナンス等で着脱する度に遮蔽部材の着脱又は移動を行う必要が生じると考えられる。すなわち、不正抑制を図ることができる反面、メンテナンス作業が煩雑化したり、遮蔽部材の取り付け作業が過誤により行われなかったりする等の不都合が生じ得る。特に遮蔽部材が装着されないまま裏パック機構１５（詳しくは裏パック２０１）が取り付けられた場合、遮蔽部材の有無の確認がしにくくなり装着忘れの発見が遅れるといった不都合が生じる恐れがある。
【０１７４】
本実施の形態においては、裏パック２０１の裏パック補強部材２６１に遮蔽手段としての機能を付与した。裏パック補強部材２６１は裏パック２０１に設けられているため、裏パック２０１の開放に伴い、裏パック補強部材２６１は境界部位から離間する。このため、遊技盤８１着脱の都度、裏パック補強部材２６１の取り外し及び取り付け作業を別途行う必要が無い。故に、遊技盤８１及び境界部位に対する不正を抑制しつつ、不正対策に起因する作業の煩雑化を回避することができる。また、裏パック補強部材２６１の取り付け作業が過誤により行われなかったりする等の不都合を抑制することもできる。
【０１７５】
裏パック補強部材２６１の溝部２６５を、遊技盤８１と本体枠１３との後方となるように配置した。境界部位を介して挿入された不正具が溝部２６５に嵌まることで、不正具の移動を制限することができる。例えば、溝部２６５の周面にそって不正具が移動され、裏パック補強部材２６１が迂回されるといった不都合を抑制することができる。これにより防犯性の向上を図ることができる。なお、裏パック補強部材２６１を、金属板材を折り曲げて形成したことで、防犯性向上及び剛性向上に貢献できる。
【０１７６】
図１４に示すように、本体枠１３の本体枠補強部材２５３と裏パック補強部材２６１とが、パチンコ機１０の正面視において上下に重なっている。このように、両者を重ねて配置することで、ドリル等の工具によって孔を開けるといた不正行為を好適に抑制することができる。故に、防犯性を更に高めることができる。特に本実施の形態に示すように、遊技盤８１と本体枠１３との境界部位が前扉枠１４によってパチンコ機１０の前方から視認しにくい構成においては、上述したような不正が施された場合、その発見が困難となる。不正そのものを困難とし防犯性の向上を図ることで、不正が行われていないか確認する作業を減らし、ホール管理者の作業負担を低減することができる。
【０１７７】
図１３等に示すように裏パック２０１においては、その下部が開放されている。この開放された部分に主制御装置１６２を配置することで、主制御装置１６２がパチンコ機１０の後方に露出した状態となっている。これにより、主制御装置１６２の視認性を向上し、当該主制御装置１６２に対する不正等の発見を容易なものとしている。しかしながら、裏パック２０１に大きな開放部位を設けた場合、裏パック２０１の剛性の低下が懸念される。特に裏パック２０１はメンテナンス等の際に開閉されるため、このような剛性の低下により作業性の低下等の不都合が生じるおそれがある。
【０１７８】
本実施の形態においては、この剛性の低下が懸念される部分に裏パック２０１（詳しくはベース部２１１）を構成する合成樹脂よりも高硬度な金属製の裏パック補強部材２６１を配置した。これにより主制御装置１６２の視認性を担保しつつ、裏パック２０１の補強を実現している。また、上述の如く、この裏パック補強部材２６１が球受け部２７０の下方に配置されていることで、球受け部２７０の保護が図られている。すなわち、裏パック補強部材２６１によって、裏パック２０１の補強及び球受け部２７０の保護が可能となっている。なお、上述の如く裏パック補強部材２６１を金属製とすることで、省スペース化を図り、主制御装置１６２の配置自由度の担保や、メンテナンス性等の担保が可能となっている。
【０１７９】
制御装置集合ユニット２０４においては、裏パック２０１に対して独立開閉が可能になっている。制御装置集合ユニット２０４及び裏パック２０１に補強部材と当接部とを別々に配置することで、制御装置集合ユニット２０４の開放により、当接部の割れ等の確認や、それら補強部材や当接部に対して行なわれる不正の確認が容易なものとなっている。このように補強部材及び当接部を、制御装置集合ユニット２０４及び裏パック２０１に別々に配置する場合、上述の如く、制御装置集合ユニット２０４に当接部を配置し、裏パック２０１に補強部材を配置することが望ましい。これにより、当接部等の視認性を担保しつつ、主制御装置１６２の視認性を担保し、更には当接部の保護に貢献することができる。
【０１８０】
また、制御装置集合ユニット２０４の排出通路２３０は遊技球との接触部位であり、合成樹脂で成形することで打音の低減が図られている。球受け部２７０も遊技球との接触部位であるため、金属製ではなく剛性樹脂製とすることが望ましい。本実施の形態では球受け部２７０を排出通路２３０と一体成形することで。部品点数の削減に貢献している。上述の如く、裏パック補強部材２６１を裏パック２０１に設けるとともに、球受け部２７０を制御装置集合ユニット２０４に設けることで、「当接部」と「制限部」との好適な配置が実現されている。
【０１８１】
なお、上述した実施の形態の記載内容に限定されず、例えば次のように実施してもよい。
【０１８２】
（ａ）上記実施の形態では、「当接部」としての球受け部２７０が変形する構成としたが、変形しない構成とすることも可能である。かかる場合、球受け部を変形させるのではなく、「制限部」としての裏パック補強部材２６１に向かって移動することで「変位」する構成とすればよい。より具体的には、球受け部を少なくとも移動可能に設け、その球受け部に同球受け部の下方への移動に伴い、抗力を発生する「弾性部材」を設けるとよい。
【０１８３】
例えば、球受け部にバネ（板バネやコイルバネ等）を連結するとよい。詳しくは、球受け部の下方への移動に伴って、バネによって初期位置に戻す抗力が発生する構成とすればよい。球受け部自身が変形しない構成とすることで、球受け部が塑性変形する可能性を低減することができる。故に、球受け部の保護を一層好適に行うことができる。なお、バネに代えてゴム等の合成樹脂を用いることも可能である。
【０１８４】
（ｂ）上記実施の形態では、球受け部２７０を、裏パック機構１５に設けたが、これを変更し、本体枠１３に設けてもよい。
【０１８５】
また、「制限部」としての裏パック補強部材２６１を裏パック機構１５に設けたが、これを本体枠１３に設けることも可能である。当接部及び制限部の少なくともいずれかを本体枠１３に設ける場合、制限部を遊技盤８１と本体枠１３との境界部位の後方に配置することが望ましい。これにより、当接部の撓みを制限しつつ遊技盤８１と本体枠１３との境界部位を介して行われる不正行為を抑制することができる。但し、このように本体枠１３に設けた制限部を境界部位の後方に配置した場合、本体枠１３に対する遊技盤８１の取り付け作業（本実施の形態においてはパチンコ機１０の後方から遊技盤８１の装着を行う）が困難さを増すおそれがある。このため、遊技盤８１の取り付けをパチンコ機１０の前方から行う構成にする等の対策を講じる必要がある。
【０１８６】
因みに、「排出領域」としての排出通路２３１は、制御装置集合ユニット２６０に設けられるものでなくてもよい。すなわち、裏パック２０１に設けてもよいし、本体枠１３に設けてもよい。
【０１８７】
（ｃ）上記実施の形態では、制御装置集合ユニット２６０が球受け部２７０を備えるとともに、裏パック２０１が裏パック補強部材２６１を備える構成とした。これを以下のように変更してもよい。すなわち、制御装置集合ユニット２６０が裏パック補強部材２６１を備えるとともに、裏パック２０１が球受け部２７０を備える構成としてもよい。また、裏パック２０１及び制御装置集合ユニット２６０のいずれか一方が、球受け部２７０と裏パック補強部材２６１とをまとめて備える構成とすることも可能である。
【０１８８】
（ｄ）上記実施の形態では、球受け部２７０を遊技盤８１と本体枠１３との境界部位よりも上側に配置したが、これを変更し、境界部位と同じ高さ位置に配置してもよいし、境界部位よりも下側に配置してもよい。
【０１８９】
（ｅ）上記実施の形態では、球受け部２７０の接触面２７０ａが排出通路２３１に向かって傾斜する構成としたが、傾斜しない構成としてもよい。例えば、パチンコ機１０の完成状態（島設備に配置された状態）で、接触面２７０ａが水平となる構成とすることも可能である。
【０１９０】
（ｆ）上記実施の形態では、球受け部２７０の接触面２７０ａを平面で構成したが、接触面２７０ａの形状はこれに限定されるものではない。接触面２７０ａを曲面で構成とすることも可能であるし、凹凸面で構成することも可能である。但し、接触面２７０ａは、接触面２７０ａ上に遊技球が留まることなく、遊技球を排出通路２３１等に誘導できる形状であることが望ましい。
【０１９１】
（ｇ）上記実施の形態では、球受け部２７０の前端部を自由端とし、後端部を固定端としたが、これを以下のように変更してもよい。例えば、球受け部２７０における少なくとも一つの端部が固定端であれば、各端部（左端部、右端部、前端部、後端部）をそれぞれ自由端とするか、それとも固定端するかは自由である。また、全ての端部を固定端とすることも可能である。かかる場合、球受け部２７０の厚みを変更したり材質を変更したりして、所定量の撓みを積極的に発生させることのできる構成とすることが望ましい。
【０１９２】
また、球受け部２７０はその後端部において基部２３０と繋がる（結合している）構成としたが、これを変更し、端部以外の部分で繋がる構成とすることも可能である。アウト口８７等から落下してきた遊技球が主として球受け部２７０におけるその繋がった位置以外の範囲（断面における球受け部の自由端から固定端までの範囲）で当たることで、球受け部２７０の撓みを利用した減勢を行いやすくできる。例えば図１６の（ａ）に示すように、球受け部２８０と基部２３０との結合位置が、球受け部２８０の後端部よりも前方であってもよい。
【０１９３】
アウト口８７等からの遊技球が前後方向で２箇所に別れて落下する場合を想定すれば、図１６の（ｂ）に示すように、結合位置を球受け部２８１の前後方向の略中間部位等に設定することも可能である。このように、球受け部２８１が結合位置の前後両側に接触部位をそれぞれ有する構成とすることで、球受け部２８１（詳しくは支持部）に生じる負荷を分散することができる。
【０１９４】
（ｈ）上記実施の形態では、裏パック補強部材２６１の上側延出部２６３によって球受け部２７０の変形を止める構成としたが、これを変更し、上側延出部２６３によって球受け部２７０の変形を抑制する構成としてもよい。すなわち、球受け部２７０が上側延出部２６３に当たった際に、それら両者がともに撓む構成としてもよい。これにより、球受け部２７０と上側延出部２６３とが当たった際の衝撃を緩和することができる。
【０１９５】
（ｉ）裏パック補強部材２６１の断面（パチンコ機１０の側面視）は略コ字状に限定されるものではない。少なくとも上側延出部２６３の補強面２６３ａを備えていればよく、例えば裏パック補強部材２８２の断面をロ字状としてもよいし（図１６の（ｃ）参照）、裏パック補強部材２８３の断面をＩ字状としてもよい（図１６の（ｄ）参照）。因みに、補強面２６３ａは、必ずしも接触面２７０ａと平行にする必要はない。例えば、接触面２７０ａが平面の場合に、補強面を曲面２８４としてもよいし（図１６の（ｅ）参照）、補強面を凹凸面２８５としてもよい（図１６の（ｆ）参照）。
【０１９６】
（ｊ）上記実施の形態では、裏パック補強部材２６１を金属製としたが、これを変更し、合成樹脂製とすることも可能である。かかる場合、裏パック補強部材を直方体状等のブロックで構成してもよい。
【０１９７】
（ｋ）上記実施の形態では、本体枠補強部材２５３を設ける構成としたが、これを設けない構成としてもよい。また、パチンコ機１０の正面視において、本体枠補強部材２５３と裏パック補強部材２６１との一部が重なる構成としたが、重ならない構成とすることも可能である。
【０１９８】
（ｌ）上記実施の形態では、裏パック２０１と制御装置集合ユニット２６０と回動軸線を本体枠１３の同一側に設けたが、これを変更し、本体枠１３の左右両側に別々に設けてもよい。
【０１９９】
（ｍ）上記実施の形態では、裏パック機構１５が裏パック２０１と制御装置集合ユニット２６０とを別体で備える構成としたが、これを変更し、裏パック２０１と制御装置集合ユニット２６０とを一体としてもよい。すなわち、裏パック２０１と制御装置集合ユニット２６０とが互いに独立して回動する構成としたが、両者が常に一体となって回動する構成としてもよい。
【０２００】
なお、裏パック機構１５は本体枠１３に対し回動可能な状態で取り付けなくてもよい。例えば、本体枠１３に対して、スライド可能に取り付けてもよいし、ビス等の締結具によって固定した状態で取り付けてもよい。
【符号の説明】
【０２０１】
１０…遊技機としてのパチンコ機、１１…外枠、１５…背面カバーとしての裏パック機構、８１…遊技盤、１６２…主制御装置、２０１…第１カバー部材としての裏パック、２３１…排出領域としての排出通路、２４１…第２カバー部材としての取付台２４１、２４３…副制御装置としての電源及び発射制御装置、２６０…制御装置集合ユニット、２６１…制限部としての裏パック補強部材、２７０…当接部としての球受け部、２７０ａ…接触面、２７１…収容部。
【図１】
2015051316.tif 000003
【図２】
2015051316.tif 000004
【図３】
2015051316.tif 000005
【図４】
2015051316.tif 000006
【図５】
2015051316.tif 000007
【図６】
2015051316.tif 000008
【図７】
2015051316.tif 000009
【図８】
2015051316.tif 000010
【図９】
2015051316.tif 000011
【図１０】
2015051316.tif 000012
【図１１】
2015051316.tif 000013
【図１２】
2015051316.tif 000014
【図１３】
2015051316.tif 000015
【図１４】
2015051316.tif 000016
【図１５】
2015051316.tif 000017
【図１６】
2015051316.tif 000018